(57)【要約】【課題】搭載した潅水タンクが作業者の邪魔になることなく、かつ、貯留量の変化に伴う重量バランスの変動を最小限度に抑えることができる乗用野菜苗株移植機を提供する装置を提供する。【解決手段】乗用野菜苗株移植機は、機体の一端にエンジン（１）を搭載してその周りを作業フロア（８）とし、この作業フロア（８）上のオペレータによって投入された野菜苗株を植付部（６，７）によって圃場に植付け可能に構成され、上記作業フロア（８）には、その下面側に潅水タンクとしての貯留容器（１１）を一体に形成するとともに、給水口（１２）および通水口（１３）を設け、この通水口（１３）を上記植付部（６，７）と連通することにより、植付ける苗に灌水する灌水装置を構成したものである。【選択図】図１
2011067141.tif 000002
【特許請求の範囲】
【請求項１】
機体の一端にエンジン（１）を搭載してその周りを作業フロア（８）とし、この作業フロア（８）上のオペレータによって投入された野菜苗株を植付部（６，７）によって圃場に植付けする乗用野菜苗株移植機において、
上記作業フロア（８）には、その下面側に潅水タンクとしての貯留容器（１１）を一体に形成するとともに、給水口（１２）および通水口（１３）を設け、この通水口（１３）を上記植付部（６，７）と連通することにより、植付ける苗に灌水する灌水装置を構成したことを特徴とする乗用野菜苗株移植機。
【請求項２】
前記作業フロア（８）には、機体の一端に及ぶ低位の乗降ステップ（１４）を設け、この乗降ステップ（１４）に接する段差部（１５）に前記給水口（１２）を配置したことを特徴とする請求項１記載の乗用野菜苗株移植機。
【請求項３】
前記通水口（１３）には、２方向に切替え可能な切替弁（１６）を備えて一方側に配水管（１７ａ）を接続して植付部（６，７）と連通し、他方側を側方の車輪（５）に臨んで配置したことを特徴とする請求項１記載の乗用野菜苗株移植機。
【発明の詳細な説明】
【技術分野】
【０００１】
本発明は、作業フロアのオペレータにより投入された野菜苗株を植付部によって植付けする乗用野菜苗株移植機に関するものである。
【背景技術】
【０００２】
特許文献１の例に示すように、機体の一端にエンジンを搭載してその周りを作業フロアとし、この作業フロアのオペレータにより投入された野菜苗株を植付部によって植付けする乗用野菜苗株移植機が知られている。この乗用野菜苗株移植機は、作業フロアの両側部に潅水タンクを配置して配水管を植付部に接続し、作業フロアに設けた作業座席からの苗株投入操作により、植付部に潅水供給を受けつつ野菜苗株を圃場に移植することができる。
【先行技術文献】
【特許文献】
【０００３】
【特許文献１】特開２００９−１３１１７７号公報
【発明の概要】
【発明が解決しようとする課題】
【０００４】
しかしながら、潅水タンクは、作業フロアの両側部に配置され、その大きさ故に、作業フロアに対する乗降動作および植付部に対する苗株投入操作上の制約となり、また、植付け作業の経過に伴う貯留重量変化によって機体の前後および左右の重量バランスの変動を招くという問題を避けることができなかった。
【０００５】
本発明の目的は、機体の一端にエンジンを搭載し、その周りを作業フロアとする乗用野菜苗株移植機において、搭載した潅水タンクが作業者の邪魔になることなく、かつ、貯留量の変化に伴う重量バランスの変動を最小限度に抑えることができる乗用野菜苗株移植機を提供することにある。
【課題を解決するための手段】
【０００６】
請求項１に係る発明は、機体の一端にエンジンを搭載してその周りを作業フロアとし、この作業フロア上のオペレータによって投入された野菜苗株を植付部によって圃場に植付けする乗用野菜苗株移植機において、上記作業フロアには、その下面側に潅水タンクとしての貯留容器を一体に形成するとともに、給水口および通水口を設け、この通水口を上記植付部と連通することにより、植付ける苗に灌水する灌水装置を構成したことを特徴とする。
【０００７】
上記潅水タンクは、作業フロアの下面に形成され、また、機体中央部に集約配置される作業フロアの範囲内に限定される。
【０００８】
請求項２に係る発明は、請求項１の構成において、前記作業フロアには、機体の一端に及ぶ低位の乗降ステップを設け、この乗降ステップに接する段差部に前記給水口を配置したことを特徴とする。
機体の一端に及ぶ乗降ステップと接する段差部に潅水タンクの給水口を形成することにより、機体の一端から潅水タンクへの給水が可能となる。
【０００９】
請求項３に係る発明は、請求項１の構成において、前記通水口には、２方向に切替え可能な切替弁を備えて一方側に配水管を接続して植付部と連通し、他方側を側方の車輪に臨んで配置したことを特徴とする。
植付け終了時は、切替弁の操作によりタンク内の残留水が切替ポートから車輪に排出される。
【発明の効果】
【００１０】
請求項１の発明の乗用野菜苗株移植機は、作業フロアの下面に潅水タンクを形成することにより、潅水タンクが作業者の乗降動作や苗株投入操作の際に邪魔になることがなく、また、機体中央部を中心に配置される作業フロアの範囲内にタンク位置が限定されることから、その貯留量の変化によっても重量バランスの変動を最小限度に抑えることができる。
【００１１】
請求項２に係る発明は、請求項１の効果に加え、機体の一端に及ぶ乗降ステップと接する段差部に給水口を形成することにより、潅水タンクへの給水が機体の一端から容易に実施することができる。
【００１２】
請求項３に係る発明は、請求項１の効果に加え、植付け終了時は、切替弁の操作によりタンク内の残留水が切替弁の切替ポートから車輪に排出されることから、潅水タンクの排水とともに、車輪に付着した泥土の洗浄が可能となる。
【図面の簡単な説明】
【００１３】
【図１】乗用野菜苗株移植機の平面図
【図２】乗用野菜苗株移植機の側面図
【図３】可動そりの上位置状態（ａ）と下位状態（ｂ）
【図４】苗株移送機構の要部拡大図
【図５】セミクローラ構成例の野菜苗株移植機の側面図
【図６】畦中央傾き装置の要部正面図
【図７】別例の野菜苗株移植機の側面図
【図８】後輪のトレッドについての要部平面図
【発明を実施するための形態】
【００１４】
上記技術思想に基づいて具体的に構成された実施の形態について以下に図面を参照しつつ説明する。
本発明に係る野菜苗株移植機は、その側面図および平面図をそれぞれ図１、図２に示すように、エンジン１および変速伝動用の走行ミッション２を一体に構成するとともに案内用の前輪４，４および駆動用の後輪５，５を備えて走行可能に支持された機体と、その走行ミッション２のケ−ス後部から延設され歩行操縦するための後部ハンドル３ａ、３ａを取付けたハンドルフレーム３と、左右に長いループ軌跡で周回する複数のカップ状の苗収容体２２…によって投入苗株を所定位置まで移送する周回移送式の苗株移送機構６および昇降と開閉の動作によって植付けをする植付機構７により投入苗株を圃場に順次植付けする植付部と、この植付部６，７の前側位置で苗株を投入するオペレータのための作業座席６ａおよびエンジン周りの作業フロア８等を備えて構成される。
【００１５】
上記走行ミッション２には、アーム状の左右の伝動支持部であるチェーンケース５ａ，５ａを回動可能に備え、この左右のチェーンケース５ａ，５ａを介して左右の後輪５，５を支持するとともに、機体中央に配置した伸縮駆動部と連結して機体高さと左右高さを調整可能に構成し、植付部６，７を走行系と同期して伝動する。
【００１６】
この野菜苗株移植機における作業フロア８は、貯留容器１１と一体にその上面に形成し、この貯留容器１１に給水口１２および通水口１３を設けて作業フロア８と一体の潅水タンクを構成する。その前端部には低位の乗降ステップ１４を機体の前端部まで張り出し、この乗降ステップ１４に接する段差部１５に給水口１２を配置する。
【００１７】
貯留容器１１の両側部は、深さ寸法Ｄを大きくとり、その底位置に通水口１３，１３を配置するとともに、２方向に切替え可能な切替弁１６，１６を設け、それぞれ一方側に潅水ポンプ１７に連通する配水管１７ａを接続して植付機構７と連通することにより潅水装置を構成し、他方側の切替ポート１６ａを側方の後輪５に臨む位置に配置する。
【００１８】
上記構成の野菜苗株移植機は、潅水タンクとしての貯留容器１１と一体にその上面に作業フロア８を形成することにより、潅水タンクが作業者の乗降動作や苗株投入操作の際に邪魔になることがなく、また、タンク位置が機体中央部に集約配置される作業フロアの範囲内に限定されることから、その貯留量の変化によっても重量バランスの変動を最小限度に抑えることができる。
【００１９】
潅水タンクへの給水は、作業フロア８から機体前端に及ぶ低位の乗降ステップ１４に面する段差部１５にある給水口１２から容易に実施することができる。植付け終了時は、機体をリフトして切替弁１６の操作によりタンク内の残留水が切替ポート１６ａによって車輪に案内されることから、潅水タンクの排水とともに、車輪５に付着した泥土の洗浄が可能となる。
【００２０】
（前輪）
左右の前輪４，４については、それぞれ半円カバー状の可動そり２１を軸支し、タイヤ下位置とタイヤ上位置にピン２１ａで切替え可能に構成する。タイヤ下位置では前輪４を滑走支持し、図３（ａ）の可動そりの上位置状態に示すように、タイヤ上位置では、泥除け用のフェンダーとして機能する。
【００２１】
（苗株移送機構）
苗株移送機構６の苗収容体２２は、図４の要部拡大図に示すように、深さ変更可能なバネ付き蛇腹体による弾性スリーブに鍔２２ａを設けて構成し、この鍔２２ａと係合してその高さ位置を制御する深さ制御用のガイド２３を設け、作業座席６ａの側を低くして苗株の投入を容易にし、奥側を高くして苗株を直立姿勢に保持する。また、ガイド２３の支持部２３ａは、例えば、枝豆のような長い苗は高く、ブロッコリーのような短い苗は低く、支持高さ位置を調節可能に構成する。
【００２２】
（セミクローラ構成）
次に、セミクローラ構成の野菜苗株移植機については、図５の側面図に示すように、歩行操作用の操縦ハンドル３１をエンジン１の側に設けて植付部６，７を前進方向とし、クローラ３２と前輪３３との間に作業座席３４を配置する。また、畦感知ローラ３５，３５を植付け位置に設けて畦中央を感知する畦中央傾き装置を構成し、その要部正面図を図６に示すように、２本のアーム３５ａ，３５ａの角度差が一定になるように傾斜シリンダを傾斜ケーブル３７によって制御する。
【００２３】
（トレッド）
また、図７の側面図に示す野菜苗株移植機の例では、歩行操作用の操縦ハンドル４１をエンジン１の側に設けて植付部６，７を前進方向とし、前後輪４，５の間に作業座席４２を配置する。後輪５については、図８の要部平面図に示すように、走行ミッション２とチェーンケース５ａの間にカウンタケース４４を介設して回転方向を逆転し、このカウンタケース４４とエンジン１の側面に後輪５を配置することにより、畝幅の狭い４５ｃｍトレッドＢが可能となる。
【符号の説明】
【００２４】
１      エンジン
２      走行ミッション
４      前輪
５      後輪
５ａ    チェーンケース
６      苗株移送機構（植付部）
６ａ    作業座席
７      植付機構（植付部）
８      作業フロア
１１    貯留容器（潅水タンク）
１２    給水口
１３    通水口
１４    乗降ステップ
１５    段差部
１６    切替弁
１６ａ  切替ポート
１７ａ  配水管
【図１】
2011067141.tif 000003
【図２】
2011067141.tif 000004
【図３】
2011067141.tif 000005
【図４】
2011067141.tif 000006
【図５】
2011067141.tif 000007
【図６】
2011067141.tif 000008
【図７】
2011067141.tif 000009
【図８】
2011067141.tif 000010